(57)【要約】【課題】ＡＴＳＣ方式デジタルテレビジョン放送受信装置において、チューナモジュールを安価で、かつコンパクトに設計でき、チューナと後段のバックエンド回路の適合が不良であるといったトラブルについての対応を容易にする。【解決手段】チューナ回路３の後段に設ける第１、第２のＳＡＷフィルタ１１、１３及び第１、第２のアンプ１２、１４のうち、第１のＳＡＷフィルタ１１と第１のアンプ１２は、チューナ回路３が実装されたプリント配線基板５と同一の基板５上に実装して１つのチューナモジュールを構成し、第２のＳＡＷフィルタ１３と第２のアンプ１４は、ＶＳＢ回路７等のバックエンド回路２が搭載された主プリント配線基板に実装する。第１のアンプ１２のゲインがＶＳＢ回路７からのフィードバック信号Ｓｆにより制御される。プリント配線基板５全体をシールドケース４に格納して１つのチューナモジュールを構成する。【選択図】図１
0003113190.tif 000002
【実用新案登録請求の範囲】
【請求項１】
シールドケース内に格納されたチューナと、該チューナで選局された中間周波信号の帯域特性を確保するために該チューナの後段に直列に設けられた第１、第２のＳＡＷフィルタと、該第１、第２のＳＡＷフィルタからの出力を調整するために各ＳＡＷフィルタの直後に設けられた第１、第２のアンプと、前記第２のアンプからの出力信号をＴＳ（Ｔｒａｎｓｐｏｒｔ  Ｓｔｒｅａｍ）信号に復調するＶＳＢ（Ｖｅｓｔｉｇｉａｌ  Ｓｉｄｅ  Ｂａｎｄ）回路とを有し、前記第１のアンプのゲインが、前記ＶＳＢ回路からのフィードバック信号により制御されるように構成したＡＴＳＣ方式デジタルテレビジョン放送受信装置において、
前記第１のＳＡＷフィルタと第１のアンプは、前記チューナのシールドケース内に格納された片面プリント配線基板に実装され、
前記第２のＳＡＷフィルタと第２のアンプは、前記チューナ外の、前記ＶＳＢ回路等のバックエンド回路が搭載された主プリント配線基板に実装されたことを特徴とするＡＴＳＣ方式デジタルテレビジョン放送受信装置。
【請求項２】
チューナと、該チューナで選局された中間周波信号の帯域特性を確保するために該チューナの後段に直列に設けられた第１、第２のＳＡＷフィルタと、該第１、第２のＳＡＷフィルタからの出力を調整するために各ＳＡＷフィルタの直後に設けられた第１、第２のアンプと、前記第２のアンプからの出力信号をＴＳ信号に復調する復調回路とを有したＡＴＳＣ方式デジタルテレビジョン放送受信装置において、
前記第１のＳＡＷフィルタと第１のアンプは、前記チューナを構成する回路が実装されたプリント配線基板と同一の基板上に実装されて１つのチューナモジュールを構成し、
前記第２のＳＡＷフィルタと第２のアンプは、前記復調回路等のバックエンド回路が搭載された主プリント配線基板に実装されたことを特徴とするＡＴＳＣ方式デジタルテレビジョン放送受信装置。
【請求項３】
前記チューナがシールドケースを有し、前記第１のＳＡＷフィルタと第１のアンプが前記シールドケース内に格納されていることを特徴とする請求項２に記載のＡＴＳＣ方式デジタルテレビジョン放送受信装置。
【請求項４】
前記チューナが、そのシールドケースを介して前記主プリント配線基板に実装されていることを特徴とする請求項３に記載のＡＴＳＣ方式デジタルテレビジョン放送受信装置。
【請求項５】
前記第１のアンプのゲインが前記復調回路からのフィードバック信号により制御されることを特徴とする請求項２乃至請求項４のいずれかに記載のＡＴＳＣ方式デジタルテレビジョン放送受信装置。
【考案の詳細な説明】
【技術分野】
【０００１】
本考案は、ＡＴＳＣ（Ａｄｖａｎｃｅ  Ｐｒｏｐｏｓｅｄ  ＴＶ  Ｓｙｓｔｅｍｓ  Ｃｏｍｍｉｔｔｅｅ）方式デジタルテレビジョン放送受信装置に関し、詳しくは、チューナで選局された中間周波信号の帯域特性を確保するために２段にＳＡＷフィルタを備えたＡＴＳＣ方式デジタルテレビジョン放送受信装置に関する。
【背景技術】
【０００２】
ＡＴＳＣ方式は主にアメリカ合衆国で利用されているデジタルテレビジョンの放送方式であり、この方式のデジタルテレビジョン放送を受信するチューナには、より精度の高い帯域特性を確保するために、ＳＡＷ（Ｓｕｒｆａｃｅ  Ａｃｏｕｓｔｉｃ  Ｗａｖｅ）フィルタが２段に設けられる。
【０００３】
例えば、特許文献１に開示された技術は、チューナの後段にＡＴＳＣ用ＩＦ回路とＮＴＳＣ用ＩＦ回路を並列して設け、ＡＴＳＣ方式とＮＴＳＣ方式の両方の方式の放送を受信できるように図ったものである。
【０００４】
また、地上波デジタルテレビジョン放送に含まれるテレビジョン放送とデジタル音声放送をＳＡＷフィルタで選択的に分離し、ＳＡＷフィルタの後段に設けた切替えスイッチで接続を切替えることによって、テレビジョン放送とデジタル音声放送を共通の回路で処理するようにした技術が知られている（例えば、特許文献２参照）。
【０００５】
さらに、第１中間周波増幅器の後段に第１のＳＡＷフィルタを設け、第２中間周波増幅器の後段に第２のＳＡＷフィルタを設けたデジタルＴＶ受信機が知られている（例えば、特許文献３参照）。
【特許文献１】特開２００２−１５８５９４号公報
【特許文献２】特開２００３−１８４９６号公報
【特許文献３】特開２００２−１９０９８９号公報
【考案の開示】
【考案が解決しようとする課題】
【０００６】
上述のように、デジタルテレビジョン放送受信機では、アナログテレビジョン放送受信機よりも広いダイナミックレンジにおける良好な受信が要求されるので、チューナの後段に２段にＳＡＷフィルタを接続して、より良好な帯域特性が得られるように図っている。
【０００７】
また、チューナは、外部からのノイズ源を遮断するために、一般的にシールドケース内に格納されるが、２段のＳＡＷフィルタについても同一シールドケース内に格納して、さらに安定して良好な帯域特性が得られるようにしたものが知られている。
【０００８】
その１例について、図４を参照して説明する。図４は、ＡＴＳＣ方式デジタルテレビジョン放送受信装置のチューナ５１と、その前後の要部についてのみ示したブロック図である。テレビジョン信号（ＲＦ信号）Ｓｒがチューナ５１のコネクタ部５２から入力されると、その信号は、同調回路、局部発振器、ＰＬＬ回路及び基準発振器等からなるチューナ回路５３を経て、選局された中間周波信号に変換され、その中間周波信号がさらに第１のＳＡＷフィルタ５４、第１のアンプ５５、第２のＳＡＷフィルタ５６及び第２のアンプ５７を経て、帯域特性の良好な信号としてバックエンド回路５８へ出力されるようになっている。バックエンド回路５８は、ＶＳＢ回路５９と、ＭＰＥＧ２デコーダ６１等からなっている。第１のアンプ５５のゲインが、ＶＳＢ回路５９からのフィードバック信号Ｓｆにより制御される。
【０００９】
チューナ回路５３、第１のＳＡＷフィルタ５４、第１のアンプ５５、第２のＳＡＷフィルタ５６及び第２のアンプ５７は、同一のプリント配線基板上に実装されており、そのプリント配線基板全体が金属製のシールドケース６２内に格納されて外部ノイズから遮断されている。従って、シールドケース６２内に格納され、上記の回路を実装された１枚のプリント配線基板が１つの独立したチューナモジュールを構成している。
【００１０】
従来のデジタルテレビジョン放送受信機は、上記のように第１、第２のＳＡＷフィルタ５４、５６及びその直後の第１、第２のアンプ５５、５７がチューナ回路５３と共に１枚のプリント配線基板上に実装され、モジュール化されているので、帯域特性の良好な回路として製作することが容易であり、そのプリント配線基板全体をシールドケース６２で覆うことによっても、さらに良好で安定した帯域特性を得ることが容易であった。
【００１１】
ところが、従来のデジタルテレビジョン放送受信機では、２段のＳＡＷフィルタ５４、５６をチューナ回路５３と共に１つのモジュールとして製作するために、逆に次のような欠点が生じていた。第１に、２段のＳＡＷフィルタ５４、５６をシールドケース６２内の小面積のプリント配線基板上に実装するためにはプリント配線基板を両面基板としなければならず、片面基板に比べて相当にコストアップになっていた。また、２段のＳＡＷフィルタ５４、５６とチューナ回路５３を片面基板に実装しようとすれば、大面積の基板が必要となり、チューナモジュール全体が嵩高となる別の不具合が発生する。
【００１２】
第２に、２段のＳＡＷフィルタ５４、５６がチューナ回路５３と共にモジュール化されているために、例えば、当該チューナモジュールと後段のＶＳＢ回路５９の適合性が、メーカが異なる等の理由により不良である場合には、チューナモジュール又はＶＳＢ回路５９のいずれかを、それごと取り替えなければ適合性の改善が難しいといった問題がある。また、高い帯域特性を得るためには２段のＳＡＷフィルタをチューナ回路と共にモジュール化して製作することが必須であると常識的に考えられてきており、上記のような問題は、２次的な問題として解決されることなく放置されてきた。
【００１３】
そこで、本考案の考案者は、２段のＳＡＷフィルタのうち後段のＳＡＷフィルタについては、高い帯域特性を得る上での寄与率がそれほど大きくないと考え、種々実験の結果、後段のＳＡＷフィルタをチューナモジュール外に設けても、実用上の問題なくＡＴＳＣ方式デジタルテレビジョン放送受信装置が実現できることを確認して本考案に到達した。
【００１４】
本考案は、チューナモジュール内に設けるＳＡＷフィルタとその直後のアンプを第１のＳＡＷフィルタと第１のアンプのみとして、チューナモジュール内のプリント配線基板を片面基板とすることで、チューナモジュールを安価で、かつコンパクトに設計でき、チューナと後段のバックエンド回路の適合性が不良であるといったトラブルについて対応が容易なＡＴＳＣ方式デジタルテレビジョン放送受信装置を提供することを目的とする。
【課題を解決するための手段】
【００１５】
上記目的を達成するために、請求項１の考案は、シールドケース内に格納されたチューナと、該チューナで選局された中間周波信号の帯域特性を確保するために該チューナの後段に直列に設けられた第１、第２のＳＡＷフィルタと、該第１、第２のＳＡＷフィルタからの出力を調整するために各ＳＡＷフィルタの直後に設けられた第１、第２のアンプと、前記第２のアンプからの出力信号をＴＳ（Ｔｒａｎｓｐｏｒｔ  Ｓｔｒｅａｍ）信号に復調するＶＳＢ（Ｖｅｓｔｉｇｉａｌ  Ｓｉｄｅ  Ｂａｎｄ）回路とを有し、前記第１のアンプのゲインが、前記ＶＳＢ回路からのフィードバック信号により制御されるように構成したＡＴＳＣ方式デジタルテレビジョン放送受信装置において、前記第１のＳＡＷフィルタと第１のアンプは、前記チューナのシールドケース内に格納された片面プリント配線基板に実装され、前記第２のＳＡＷフィルタと第２のアンプは、前記チューナ外の、前記ＶＳＢ回路等のバックエンド回路が搭載された主プリント配線基板に実装されたことを特徴とする。
【００１６】
請求項２の考案は、チューナと、該チューナで選局された中間周波信号の帯域特性を確保するために該チューナの後段に直列に設けられた第１、第２のＳＡＷフィルタと、該第１、第２のＳＡＷフィルタからの出力を調整するために各ＳＡＷフィルタの直後に設けられた第１、第２のアンプと、前記第２のアンプからの出力信号をＴＳ信号に復調する復調回路とを有したＡＴＳＣ方式デジタルテレビジョン放送受信装置において、前記第１のＳＡＷフィルタと第１のアンプは、前記チューナを構成する回路が実装されたプリント配線基板と同一の基板上に実装されて１つのチューナモジュールを構成し、前記第２のＳＡＷフィルタと第２のアンプは、前記復調回路等のバックエンド回路が搭載された主プリント配線基板に実装されたことを特徴とする。
【００１７】
請求項３の考案は、請求項２の考案において、前記チューナがシールドケースを有し、前記第１のＳＡＷフィルタと第１のアンプが前記シールドケース内に格納されていることを特徴とする。
【００１８】
請求項４の考案は、請求項３の考案において、前記チューナが、そのシールドケースを介して前記主プリント配線基板に実装されていることを特徴とする。
【００１９】
請求項５の考案は、請求項２乃至請求項４のいずれかの考案において、前記第１のアンプのゲインが前記復調回路からのフィードバック信号により制御されることを特徴とする。
【考案の効果】
【００２０】
本考案によれば、チューナモジュールを安価に製造できることにより受信装置全体を安価に製造でき、かつ製造時の、チューナと後段のバックエンド回路の適合が不良であるといったトラブルについても対応が容易になる。
【考案を実施するための最良の形態】
【００２１】
以下、本考案の一実施形態に係るＡＴＳＣ方式デジタルテレビジョン放送受信装置について、図１乃至図３を参照して説明する。図１は、本実施形態のＡＴＳＣ方式デジタルテレビジョン放送受信装置の要部であるチューナ１と、その後段のバックエンド回路２の周辺部分を示すブロック図である。
【００２２】
チューナを構成する回路（以下、チューナ回路）３は、シールドケース４内に格納された１枚の片面基板であるプリント配線基板５上に実装されており、同調回路、局部発振器、ＰＬＬ回路及び基準発振器等の公知の電子デバイスからなる。シールドケース４は、具体的には、図２に示すように金属製の直方形状であり、主プリント配線基板６上に立ち姿勢で実装される。主プリント配線基板６上には、ＶＳＢ回路７及びＭＰＥＧ２デコーダ８を含むバックエンド回路２及び受信装置の制御のための多くの制御回路（不図示）が実装されている。また、シールドケース４の一側面にはコネクタ９が突設されており、このコネクタ９にアンテナ（不図示）が接続されるようになっている。
【００２３】
そして、チューナ回路３が実装されたプリント配線基板５と同一のプリント配線基板５上に、チューナ回路３で選局された中間周波信号Ｓｍの帯域特性を確保するための第１のＳＡＷフィルタ１１と第１のアンプ１２が直列に実装されており、主プリント配線基板６上に、同じく帯域特性を確保するための第２のＳＡＷフィルタ１３と第２のアンプ１４が直列に実装されている。第１のアンプ１２のゲインは、ＶＳＢ回路７からのフィードバック信号Ｓｆによって制御されるが、第２のアンプ１４のゲインは固定されている。チューナ回路３と第１のＳＡＷフィルタ１１と第１のアンプ１２とで１つのチューナモジュールが構成されている。
【００２４】
従って、アンテナにより受信したデジタルテレビジョン放送信号Ｓｒは、次のようにしてＴＳ信号Ｓｔに復調され、不図示のテレビジョン受像機へ出力されて映像及び音声となる。つまり、デジタルテレビジョン放送信号Ｓｒは、まずチューナ回路３により選局されて中間周波信号Ｓｍに変換され、その中間周波信号Ｓｍにおける特定の帯域以外の周波数成分が、チューナモジュール内の第１のＳＡＷフィルタ１１により減衰させられる。
【００２５】
そして、第１のＳＡＷフィルタ１１における信号の挿入損失が第１のアンプ１２による信号増幅で補われて、補われた後の信号がチューナモジュール外の第２のＳＡＷフィルタ１３へ出力される。第２のＳＡＷフィルタ１３と第２のアンプ１４によっても同様に、特定の帯域以外の周波数成分が減衰され、その信号の挿入損失が第２のアンプ１４によって補われる。第２のアンプ１４から出力されてＶＳＢ回路７へ入力された信号は、所定の方式でＴＳ信号Ｓｔに復調される。ＶＳＢ回路７へ入力される信号の振幅は、ＶＳＢ回路７から第１のアンプ１２へフィードバックされるフィードバック信号Ｓｆによって第１のアンプ１２のゲインが制御されることによって適正に調整される。
【００２６】
第２のアンプ１４は、固定ゲインのものを用いてもよいし、組立工程においてドライバ等を用いて調整できるものであってもよい。また、バックエンド回路２内の復調回路は、ＶＳＢ回路７以外の他の方式のものであってもよい。
【００２７】
図３に第１、第２のＳＡＷフィルタ１１、１３の特性を示す。第１のＳＡＷフィルタ１１の特性Ｐ１に比べて、第２のＳＡＷフィルタ１３の特性Ｐ２の方がいわゆる裾の部分において僅かに狭い帯域特性を有している。つまり、第１のＳＡＷフィルタ１１によって、特定の帯域以外の周波数成分の大部分が減衰され、僅かに狭帯域の第２のＳＡＷフィルタ１３によって、特定帯域以外の周波数成分の減衰が完成されるようになる。
【００２８】
以上のように、本実施形態によるデジタルテレビジョン放送受信装置によれば、チューナモジュールに関して、シールドケース４内の１枚の片面プリント配線基板５にチューナ回路３と共に第１のＳＡＷフィルタ１１と第１のアンプ１２が無理なく実装され、両面基板を用いる場合に比べて構造が簡単で安価に製造でき、ひいてはＡＴＳＣ方式デジタルテレビジョン放送受信装置全体を安価に製造できる。
【００２９】
また、製造時に、ＶＳＢ回路７からの出力ＴＳ信号Ｓｔの品質が不良である場合に、第２のＳＡＷフィルタ１３又は第２のアンプ１４の単品を交換するとか、第２のアンプ１４が前述のようなゲインの調整が可能なタイプである場合には、第２のアンプ１４のゲインを現場で調整することによって、その不具合を解消できる可能性があり、従来装置と異なり、チューナとバックエンド回路の適合が不良である場合に、チューナモジュール又はＶＳＢ回路の全体を交換するといった大きな手直しが必要とされる虞が少ない。
【図面の簡単な説明】
【００３０】
【図１】本考案の１実施形態に係るＡＴＳＣ方式テレビジョン放送受信装置のチューナと、その後段のバックエンド回路の周辺部分を示すブロック図。
【図２】同チューナと、その後段のバックエンド回路の周辺部分の外観を示す斜視図。
【図３】上記ＡＴＳＣ方式テレビジョン放送受信装置における第１、第２のＳＡＷフィルタの特性を示す図。
【図４】従来のＡＴＳＣ方式テレビジョン放送受信装置のチューナと、その後段のバックエンド回路部分を示すブロック図。
【符号の説明】
【００３１】
１  チューナ
２  バックエンド回路
３  チューナ回路
４  シールドケース
５  プリント配線基板
６  主プリント配線基板
７  ＶＳＢ回路
１１  第１のＳＡＷフィルタ
１２  第１のアンプ
１３  第２のＳＡＷフィルタ
１４  第２のアンプ
Ｓｒ  デジタルテレビジョン放送信号
Ｓｍ  中間周波信号
Ｓｆ  フィードバック信号
Ｓｔ  ＴＳ信号
【図１】
0003113190.tif 000003
【図２】
0003113190.tif 000004
【図３】
0003113190.tif 000005
【図４】
0003113190.tif 000006